(57)【特許請求の範囲】
【請求項１】
前面枠に取り付けられる前面板の前面に打球供給皿を装着すると共に該前面枠の下部前面には余剰球受皿を装着し、前記前面板の裏側に前記打球供給皿に貯留され、その整流部で整流したパチンコ球を一列に整列させて導く球通路を設け、前記球通路の終端部にパチンコ球を受け入れ発射レールの発射位置へ１個ずつ供給する打球供給装置を設け、前記球通路または前記整流部の底部に、前記余剰球受皿に連通しかつ２個以上のパチンコ球が横並びした状態で同時に落下し得る大きさの球抜口を開設し、前記球抜口に常時はパチンコ球が落下しないように該球抜口を閉塞し、また外部操作により前記球抜口を開放して球抜きを行う球抜板を配設したパチンコ機において、
前記球抜板を前記球通路と直交状にスライドさせるようにし、前記球抜板の先端縁に、前記球抜口を開放するとき前記球抜板の上面に載るいずれかのパチンコ球の落下を邪魔して遅らせる突起を一体に設け、前記突起は前記球抜口を閉塞したとき前記球通路の内側壁に設けられた係止孔に係合するようにしたことを特徴とするパチンコ機。
【発明の詳細な説明】
【０００１】
【発明の属する技術分野】
本発明は、前面板の前面に装着される打球供給皿のパチンコ球を球抜口の球抜板をスライドさせて余剰球受皿に抜き取るようにしたパチンコ機であって、特に該球抜口を横並びする複数のパチンコ球が同時に落下し得る大きさに形成したパチンコ機に関するものである。
【０００２】
【従来の技術】
従来、この種のパチンコ機として例えば実公平４−３２１４７号公報に開示されるものが有る。このパチンコ機は、打球供給皿が取り付けられる前面板１００の裏側に、打球供給皿に貯留されるパチンコ球を整列させて導く球通路１０１が設けられ、該球通路１０１の終端部にパチンコ球を受け入れ発射レールの発射位置へ１個ずつ供給する打球供給装置１０２が配置されている。また、前記球通路１０１の底部１０３に横並びする２個のパチンコ球が同時に落下し得る大きさの球抜口１０４が設けられると共に、該球抜口１０４と連なってパチンコ球を余剰球受皿に導く球抜通路１０５が形成されている。そして、前記球抜口１０４には常時はパチンコ球が落下しないように球抜口１０４を閉塞する球抜板１０６が設けられており、外部操作により球抜板１０６を球通路１０１と平行にスライドさせて球抜口１０４を開放することにより打球供給皿のパチンコ球を余剰球受皿に抜き取るようにしている。
【０００３】
【発明が解決しようとする課題】
上記した従来のパチンコ機にあっては、パチンコ球を余剰球受皿に抜き取るとき、球抜板１０６を球通路１０１と平行にスライドさせ、しかも球抜板１０６上面に横並びする先頭と次のパチンコ球を２個ほぼ同時に落下させることから、球抜板１０６を２個のパチンコ球分の長さスライドさせる必要が有る。ところが、それらパチンコ球の球数が多くなると、球抜板１０６をスライドさせるストロークをより長くする必要が有る。このため遊技者が指で操作する操作部材と球抜板１０６とを一体的に設けると、該球抜板１０６を作動させる操作部材の移動距離も比例して長くなってしまい、操作部材の操作が面倒になりかつ操作部材回りのデザインの範囲が限定されるだけでなく、前述したようにより多くのパチンコ球をほぼ同時に抜き取ろうとするとスペース的に困難となる。これに対し、操作部材と球抜板１０６との間にリンク等の別部材を連設して操作部材の移動量を減少させることができるけれども、機構が複雑になるばかりでなく、一層多くのパチンコ球を抜き取ろうとすると、その機構が複雑化かつ大型化してしまうのでスペース的に困難となるという課題が有った。また、後者の場合は、組立等のコスト高と故障を伴い易いという課題も有った。いずれにしても、球抜板１０６をスライドさせるのに必要な空間を要するので、両者の球抜機構に拘りなく球抜に広いスペースが不可欠となり、このため該球抜機構と隣接する装置等のいずれもが、設計上の制限を受けることとなる。よって、球抜板のストロークを極力短くして球抜きできることが望ましい。
【０００４】
そこで、本発明は上記課題を解決すべくなされたもので、球抜板をパチンコ球１個分またはそれ以下の長さスライドさせるのみで複数個のパチンコ球を同時に落下させるようにして、球抜機構の操作性が劣ることなく、その取付作業も簡単となりコストも高くならないパチンコ機を提供することを目的とするものである。
【０００５】
【課題を解決するための手段】
かかる目的を達成するため、本発明に係るパチンコ機は、前面枠に取り付けられる前面板の前面に打球供給皿を装着すると共に前面枠の下部前面には余剰球受皿を装着し、前面板の裏側に打球供給皿に貯留され、その整流部で整流したパチンコ球を一列に整列させて導く球通路を設け、該球通路の終端部にパチンコ球を受け入れ発射レールの発射位置へ１個ずつ供給する打球供給装置を設け、前記球通路または整流部の底部に、余剰球受皿に連通しかつ２個以上のパチンコ球が横並びした状態で同時に落下し得る大きさの球抜口を開設し、該球抜口に常時はパチンコ球が落下しないように該球抜口を閉塞し、また外部操作により球抜口を開放して球抜きを行う球抜板を配設したパチンコ機において、前記球抜板を球通路と直交状にスライドさせるようにし、球抜板の先端縁に、球抜口を開放するとき球抜板の上面に載るいずれかのパチンコ球の落下を邪魔して遅らせる突起を一体に設け、突起は球抜口を閉塞したとき球通路の内側壁に設けられた係止孔に係合するようにした。これにより、球抜板の上面に横並びする複数のパチンコ球は該球抜板をパチンコ球１個分の長さスライドさせるのみで落下させることができ、そのストロークを大きくする必要がないので操作性が劣ることなく、球抜機構も大型化したり複雑化することはない。
【０００６】
しかも、球抜板の先端縁に、球抜口を開放するとき球抜板の上面に載るいずれかのパチンコ球の落下を邪魔して遅らせる突起を一体に設け、また該突起は球抜口を閉塞したとき球通路の内側壁に設けられた係止孔に係合するような構成とする。これにより、球抜口を開放するとき、球抜板の上面に載るいずれかのパチンコ球が他のパチンコ球より遅く落下するので不揃いとなり、球抜通路内へは複数のパチンコ球が同時に落下することがなくなり、球抜通路内での球詰りが防止される。また、球抜口を閉塞したとき突起が内側壁に設けられた係止孔に係合することとなり、球抜板はその先端縁外側が支持され、その上面に載るパチンコ球の球重量に対する補強の役目が果される。
【０００７】
また、前面枠に取り付けられる前面板の前面に打球供給皿を装着すると共に前面枠の下部前面には余剰球受皿を装着し、前面板の裏側に打球供給皿に貯留され、その整流部で整流したパチンコ球を一列に整列させて導く球通路を設け、該球通路の終端部にパチンコ球を受け入れ発射レールの発射位置へ１個ずつ供給する打球供給装置を設け、前記球通路または整流部の底部に、余剰球受皿に連通しかつ２個以上のパチンコ球が横並びした状態で同時に落下し得る大きさの球抜口を開設し、該球抜口に常時はパチンコ球が落下しないよう該球抜口を閉塞し、また外部操作により球抜口を開放して球抜きを行う球抜板を配設したパチンコ機において、前記球抜板を球通路と直交状にスライドさせ、かつ球抜口を閉塞したときパチンコ球が落下しない範囲で球抜板の先端縁と球抜口の内周縁との間に隙間を形成するようにしても良い。これにより、その分球抜板の縦寸法が短くなり、球抜板をスライドさせるストロークが更に短くなって操作性がより向上する。
【０００８】
この際、球抜板の先端縁に、球抜口を開放するとき球抜板の上面に載るいずれかのパチンコ球の落下を邪魔して遅らせる突起を一体に設けるようにすることが好ましい。これにより、球抜通路内での球詰りが防止される。
【０００９】
また、球抜板の先端縁に、球抜口を開放するとき球抜板の上面に載るいずれかのパチンコ球の落下を邪魔して遅らせる突起を一体に設け、該突起は球抜口を閉塞したとき球通路の内側壁に設けられた係止孔に係合するようにすることが好ましい。これにより、本発明と同じ作用・効果を得ることができる。
【００１０】
更に、球抜板の先端縁に、球抜口を開放するとき球抜板の上面に載る複数のパチンコ球がその並ぶ順に従って早く落下するように段階的に長くなる複数の突起を一体に設けることが好ましい。
【００１１】
更にまた、球抜板の先端縁を、球抜口を開放するとき球抜板の上面に載る複数のパチンコ球がその並ぶ順に従って早く落下するように斜めに形成することが好ましい。
これらはいずれも球抜きするとき、球抜板の上面に横並びする複数のパチンコ球を同時に落下させないようにして球抜通路内での球詰りを防止するためである。
【００１２】
【発明の実施の形態】
以下、本発明に係るパチンコ機の実施の形態を図面を参照して説明する。図１は本発明が適用されるパチンコ機の正面図、図２はガラス扉枠及び前面板を開放した状態のパチンコ機の下部部分の斜視図である。図において、１はパチンコ機の前面枠、２は該前面枠１の後側に着脱自在に装着される遊技盤であって、該遊技盤２の右下側に発射レール３が装着されている。４は発射レール３の発射位置５に先端が臨む打球杆、６は発射レール３の前面を覆う前面板であって、遊技盤２の前面を覆うガラス扉枠７と共に前面枠１の窓孔８の一側に開閉自在に装着される。前記前面板６の前面に、景品球払出装置（図示せず。）から払い出されたパチンコ球を貯留し、そのパチンコ球を後述する打球供給装置１９に供給する打球供給皿９が装着されている。また、前記前面枠１の下部前面には打球供給皿９に充満してオーバーフローするパチンコ球を貯留する余剰球受皿１０及び発射位置５から発射されるパチンコ球の弾発力を調節する操作ハンドル１１が設けられている。
【００１３】
前記打球供給皿９は、図３に示されるように本体部１２と該本体部１２の前面外側を覆うカバー部材１３とから構成されている。本体部１２はパチンコ球を貯留する皿部１４と、該皿部１４の上縁部分を囲う飾板部１５及び皿部１４の下方に延出する側板部１６とを有する。前記皿部１４は底部が一方に緩やかに下り傾斜し、その傾斜下部にパチンコ球が一列に整列されて流下する整流部１７が形成されている。この整流部１７の下流端が位置する前面板６には皿部１４のパチンコ球を前面板６の裏側に流出させる球出口１８が開設されている。
【００１４】
一方、前面板６の裏面には打球供給装置１９が組み込まれたケース体２０と樋状をなし球抜通路を形成する通路部材２１が装着されている。この通路部材２１の流下端は図６に示されるように遊技盤２の前面下部の球抜きシュート２２を介して余剰球受皿１０に連通している。
【００１５】
前記ケース体２０は図４に示されるように本体部２０ａとカバー部２０ｂとの二部材で構成されている。本体部２０ａには前面板６の球出口１８を挟んで前記整流部１７と連通し、該球出口１８から流入するパチンコ球を一列に整列して導く下り傾斜の球通路２３が形成されており、その開放側面をカバー部２０ｂで塞ぐようにしている。球通路２３の終端底部には余剰球受皿１０に連通する球抜通路２４の球抜口２５が開設される。球通路２３の横幅はパチンコ球の球径と略同一に設定してあり、また球抜口２５の縦幅は図５に示されるように横並びする先頭のパチンコ球Ｂ１と続く２個のパチンコ球Ｂ２，Ｂ３が同時に落下し得る寸法に設定されている。
【００１６】
また、本体部２０ａの側壁には球抜口２５に対応するように細幅状の横長溝２６が開設されており、その前側に図６に示されるように球抜部材２７が前後方向へ自在にスライドするように配置される。そして、該球抜部材２７の後面上端に球抜板２８が一体に延設され、該球抜板２８が横長溝２６に嵌入し、球抜部材２７のスライド動作と共に球通路２３と直交状にスライドして、球抜口２５を塞ぎ前記パチンコ球Ｂ１，Ｂ２，Ｂ３の下面を支持するようにしている。このため、球抜板２８の縦幅も３個のパチンコ球Ｂ１，Ｂ２，Ｂ３が横並びできる長さを有する。
【００１７】
前記打球供給装置１９は球抜通路２４を形成する隔壁２９の外側に配置され、図４及び図５に示されるように横軸３０により上下方向に回動自在に軸支された供給制御部材３１と、該供給制御部材３１を回動する連動レバー３２とからなる。供給制御部材３１は自然状態では重錘３３によって図５実線のように下方に回動するように重心が置かれており、かつ下方に回動した状態のとき球通路２３の終端部に位置する先頭のパチンコ球Ｂ１の流下を阻止する球止部３４と図５鎖線で示すように上方に回動されたとき球通路２３の終端部に臨んで先頭のパチンコ球Ｂ１を受け入れるコ字形の球受部３５とを一体に有する。なお、カバー部２０ｂには供給制御部材３１が下方に回動したとき球受部３５に受け入れたパチンコ球を発射レール３の発射位置５に送り出す供給口３６が開設されている。
【００１８】
前記連動レバー３２は逆Ｌ字形に形成されており、その折曲部が遊技盤２の前面側に突設した軸３７に回動自在に軸止されるもので、これの押上部３８が供給制御部材３１の下面に当接可能なように置かれている。また、軸支部から下方に垂下する腕片３９が打球杆４に固着された引掛杆４０と係合可能なようになっている。
【００１９】
前記打球供給皿９の本体部１２であり、かつその側板部１６の前側には図３及び図６に示されるように略Ｌ字形のレバー部材４１が軸４２により揺動自在に軸支されると共に、操作部材４３が軸４４により上下方向へ押圧自在に軸支されている。前記レバー部材４１は軸４２より下方に長孔４５が形成されており、該長孔４５に前記球抜部材２７の前側に水平に突設した突起４６を係合させている。また、レバー部材４１にはコイルばね４７が連結されており、常時球抜部材２７の球抜板２８を横長溝２６を介して球通路２３内に突出位置させるように付勢している。また、前記操作部材４３はレバー部材４１の受片部４８上に接触状に位置して飾板部１５の開口４９から上方に突出されている。なお、図３において５０は球抜板２８が挿通される横長孔、５１は球抜部材２７を安定的にスライドさせるためのガイド枠である。
【００２０】
次に、このように構成したパチンコ機の作用を説明する。打球供給皿９に貯留されるパチンコ球は整流部１７によって一列に整列されながら前面板６の球出口１８を通ってケース体２０内の球通路２３に流入し、図５実線のように供給制御部材３１の球止部３４に先頭のパチンコ球Ｂ１が当接して球通路２３内に連続して待機する。この際に、球通路２３の終端部に位置する先頭のパチンコ球Ｂ１と続くパチンコ球Ｂ２，Ｂ３はそれぞれ球抜板２８の上面で支持されて球抜通路２４への落下が阻止されている。
【００２１】
そこで、この状態で遊技者のハンドル操作により打球杆４が図５鎖線のように発射準備位置に回動すると、引掛杆４０によって連動レバー３２の腕片３９が引寄せられて該連動レバー３２が軸３７を支点として上方へ回動し、これの押上部３８が供給制御部材３１を上方へ押し上げる。このため、供給制御部材３１が横軸３０を支点として図５鎖線のように上方へ回動し、球止部３４に当接して流下が阻止されていた先頭のパチンコ球Ｂ１を球受部３５に受け入れる。そして、この状態で打球杆４が図５実線で示す発射動作位置に回動すると供給制御部材３１は連動レバー３２の押上部３８による押し上げ動作から開放されて自重とパチンコ球Ｂ１の重量で下方に回動し、球受部３５に受け入れたパチンコ球Ｂ１を供給口３６から発射レール３の発射位置５に送り出す。同時に後続する球通路２３のパチンコ球Ｂ２を球止部３４で受け止めるもので、その後は打球杆４の往復回動ごとに球通路２３の終端部に位置する先頭のパチンコ球が１個ずつ発射レール３の発射位置５に供給される。
【００２２】
一方、打球供給皿９のパチンコ球を余剰球受皿１０に抜き取る場合には、操作部材４３を図６鎖線のように押圧してレバー部材４１をコイルばね４７の付勢に抗して回動させる。これによって、球抜部材２７がレバー部材４１の長孔４５に臨む突起４６を介して図６及び図７鎖線のように球通路２３と直交状にスライドし球抜口２５を開放する。これによって、球抜板２８の上面で支持されていたパチンコ球Ｂ１，Ｂ２，Ｂ３は図８鎖線で示されるようにその支持を失って球抜通路２４に落下し、通路部材２１，球抜きシュート２２を通って余剰球受皿１０に排出される。更に、続くパチンコ球も球通路２３を流下し球抜口２５から球抜通路２４に落下する。このようにして打球供給皿９のパチンコ球がすべて余剰球受皿１０に抜き取られる。
【００２３】
このように、本発明にあっては球抜口２５の球抜板２８上面に３個のパチンコ球が横並びした状態でも、球抜板２８を球通路２３と直交状にスライドさせるようにしたので、結果球通路２３の横幅、換言すればほぼパチンコ球１個分の長さのストロークで球抜きすることができる。３個以上の場合であっても同様である。よって、これに伴いレバー部材４１，操作部材４３等の球抜機構が大型化，複雑化することなく、また球抜機構の操作性も劣ることがない。特に、横並びするパチンコ球数が多いときに効果的である。
【００２４】
図９，図１０は本発明の他の実施の形態に係るもので、球抜板２８の先端縁に、球抜口２５を開放するとき球抜板２８の上面に載る３個のパチンコ球Ｂ１，Ｂ２，Ｂ３の内、中央のパチンコ球Ｂ２に対応させてその落下を邪魔して遅らせる突起５２を一体に設けており、また、該突起５２は球抜口２５を閉塞したとき球通路２３の内側壁（カバー部２０ｂ）に設けられた係止孔５３に係合するようにしたものである。ただし、前記突起５２は球抜口２５を開放したとき球抜口２５内に突出している。これにより、図１０鎖線に示されるように球抜板２８をスライドさせて球抜口２５を開放するとき、中央のパチンコ球Ｂ２が両側のパチンコ球Ｂ１，Ｂ３より僅かに遅く落下することとなり、球抜通路２４に同時にパチンコ球が集中して落下しないので球抜通路２４内での球詰りが防止される。また、球抜口２５を閉塞したとき、突起５２が係止孔５３に係合するので球抜板２８の先端縁が支持され、パチンコ球の球重量に対する補強の役目が果される。
【００２５】
図１１，図１２は、球抜口２５を閉塞したとき球抜板２８の上面に載るパチンコ球Ｂ１，Ｂ２，Ｂ３が落下しない範囲で、球抜板２８の先端縁と球抜口２５の内周縁との間に隙間Ｓを形成するようにしたパチンコ機の一部を示す。このように隙間Ｓを形成することによりその分球抜板２８の縦寸法が短くなり、球抜板２８のストロークが更に短くて済むので、操作性がより向上する。なお、他の部位は本発明と同一なので同じ番号を付して説明は省略する。
【００２６】
図１３，図１４は上記パチンコ機の他の実施の形態に係るもので、球抜板２８の先端縁に球抜口２５を開放するとき、球抜板２８の上面に載るパチンコ球Ｂ１，Ｂ２，Ｂ３の内、中央のパチンコ球Ｂ２に対応させてその落下を邪魔して遅らせる突起５４を一体に設けた構成からなる。これにより、図１３鎖線に示されるよに球抜口２５を開放するとき、中央のパチンコ球Ｂ２が両側のパチンコ球Ｂ１，Ｂ３より僅かに遅く落下し、３個のパチンコ球Ｂ１，Ｂ２，Ｂ３が同時に落下することがないので、球抜通路２４内での球詰りが防止される。また、この場合、図１５に示されるように球抜板２８の先端縁に、球抜口２５を閉塞したとき球通路２３の内側壁に設けた係止孔５３に嵌入する突起５４ａを一体に設けるようにしても良い。これにより、前記と同様球抜通路２４内の球詰りの防止及び球抜板２８の補強が図れる。なお、前記突起５４はパチンコ球Ｂ２に対応させてそのほぼ中心にくるように設けたが、例えばＢ１，Ｂ２の間など位置をずらして設けても良い。
【００２７】
図１６，図１７も同じく他の実施の形態に係るもので、この場合は球抜板２８の先端縁に、球抜口２５を開放するとき球抜板２８の上面に載る３個のパチンコ球Ｂ１，Ｂ２，Ｂ３が図１７鎖線に示されるように並ぶ順に従って早く落下するように段階的に長くなる２個の突起５５ａ，５５ｂを一体に設けた構成からなる。この場合も球抜通路２４内の球詰りが防止できる。
【００２８】
図１８，図１９も同じく他の実施の形態に係るもので、球抜板２８の先端縁を球抜板２８の上面に載る３個のパチンコ球Ｂ１，Ｂ２，Ｂ３が並ぶ順に従って早く落下するように斜め部５６に形成したものである。このようにしても前記と同様球抜通路２４内の球詰りが防止される。
【００２９】
本発明では、球抜口２５がケース体２０内の球通路２３の終端部に設けたパチンコ機について説明したが、図２０乃至図２２に示されるように打球供給皿９の整流部１７の終端部に球抜口２５ａを開設したパチンコ機についても以上の種々の構成が適用できる。これに伴い、打球供給皿９の側板部１６に横長溝２６ａが開設され、側板部１６の後側に前面板６の開口５７を介して余剰球受皿１０に連なる球抜通路２４ａが形成される。この場合も、球抜板２８を球通路２３と直交状にスライドさせることにより同時に複数のパチンコ球を球抜口２５ａから落下させることができる。なお、本発明と同部位は同じ番号を用いて説明は省略する。
【００３０】
【発明の効果】
以上述べたように、本発明に係るパチンコ機は複数のパチンコ球を横並びした状態で同時に落下し得る大きさの球抜口を有し、該球抜口に常時は球抜口を閉塞しまた開放して球抜きを行う球抜板を設けたパチンコ機において、前記球抜板を球通路と直交状にスライドさせるようにしたので、球抜きするとき球抜板上面の複数のパチンコ球は該球抜板をパチンコ球１個分の長さスライドさせるのみで同時に落下させることができ、そのストロークを大きくする必要がないことから操作性が劣ることがない。しかも、球抜機構も大型化したり複雑化することがないのでその取付作業も簡単となりコストも高くならないという効果を有する。
【００３１】
しかも、球抜板の先端縁に、球抜口を開放するとき球抜板の上面に載るいずれかのパチンコ球の落下を邪魔して遅らせ、球抜口を閉塞したとき球通路の内側壁に設けられた係止孔に係合する突起を一体に設けた構成とすることによって、球抜通路内へ前記複数のパチンコ球が不揃いになって落下し同時に落下することがなくなるので、球抜通路内での球詰りが防止される。更に、球抜口を閉塞したとき突起が係止孔に係合することとなり、球抜板の先端縁が支持されて補強の役目が果される。これによって、打球供給装置へのパチンコ球の流れが安定する。
【００３２】
また、球抜板の先端縁と球抜口の内周縁との間に隙間を形成するようにすれば、球抜板の縦寸法が短くなり、引いては球抜板をスライドさせるストロークが少なくなって操作性がより向上する。特に、より多くのパチンコ球を同時に落下させる場合でも、球抜機構を大型化させたり複雑化させる必要がないので、デザインおよび構造上の使用範囲が自由に選べる。
【００３３】
更に、球抜板の上面に載る複数のパチンコ球が球抜口を開放するときその並ぶ順に従って早く落下するように前記球抜板の先端縁に段階的に長い複数の突起を一体に設けたり、先端縁を斜めに形成することによっても、球抜通路内での球詰りが防止される。
【図面の簡単な説明】
【図１】本発明に係るパチンコ機の正面図。
【図２】ガラス扉枠及び前面板を開放した状態のパチンコ機の下部部分の斜視図。
【図３】打球供給皿部分の分解斜視図。
【図４】打球供給装置部分の分解斜視図。
【図５】打球供給装置部分の正面断面図。
【図６】打球供給皿と余剰球受皿の関連構成を示す側面断面図。
【図７】球抜き操作部部分の要部の平面断面図。
【図８】同要部の正面断面図。
【図９】他の実施の形態に係る球抜き操作部部分の要部の平面断面図。
【図１０】同要部の正面断面図。
【図１１】球抜板の先端縁と球抜口の内周縁との間に隙間が形成された状態を示す打球供給皿と余剰球受皿の関連構成を示す側面断面図。
【図１２】同球抜き操作部部分の要部の平面断面図。
【図１３】他の実施の形態に係る球抜き操作部部分の要部の平面断面図。
【図１４】同打球供給装置部分の正面断面図。
【図１５】他の実施の形態に係る球抜き操作部部分の要部の平面断面図。
【図１６】他の実施の形態に係る球抜き操作部部分の要部の平面断面図。
【図１７】同打球供給装置部分の正面断面図。
【図１８】他の実施の形態に係る球抜き操作部部分の要部の平面断面図。
【図１９】同正面断面図。
【図２０】整流部に球抜口を設けた打球供給皿部分の分解斜視図。
【図２１】同打球供給皿と余剰球受皿の関連構成を示す側面断面図。
【図２２】同球抜き操作部部分の要部の平面断面図。
【図２３】従来の打球供給装置部分の正面断面図。
【符号の説明】
１                                前面枠
３                                発射レール
５                                発射位置
６                                前面板
９                                打球供給皿
１０                              余剰球受皿
１７                              整流部
１９                              打球供給装置
２３                              球通路
２５，２５ａ                      球抜口
２７                              球抜部材
２８                              球抜板
４６，５２，５４，５５ａ，５５ｂ  突起
５６                              斜め部
Ｂ１，Ｂ２，Ｂ３                  パチンコ球
Ｓ                                隙間
【図１】
0004017691.tif 000002
【図２】
0004017691.tif 000003
【図３】
0004017691.tif 000004
【図４】
0004017691.tif 000005
【図５】
0004017691.tif 000006
【図６】
0004017691.tif 000007
【図７】
0004017691.tif 000008
【図８】
0004017691.tif 000009
【図９】
0004017691.tif 000010
【図１０】
0004017691.tif 000011
【図１１】
0004017691.tif 000012
【図１２】
0004017691.tif 000013
【図１３】
0004017691.tif 000014
【図１４】
0004017691.tif 000015
【図１５】
0004017691.tif 000016
【図１６】
0004017691.tif 000017
【図１７】
0004017691.tif 000018
【図１８】
0004017691.tif 000019
【図１９】
0004017691.tif 000020
【図２０】
0004017691.tif 000021
【図２１】
0004017691.tif 000022
【図２２】
0004017691.tif 000023
【図２３】
0004017691.tif 000024